(57)【要約】      （修正有）【課題】紙幣整理装置における紙幣計数結果の厳格性を損なうことなく、オペレータの負担を軽減する手段を提供する。【解決手段】紙幣整理装置２が、投入部４で受入れた紙幣を指定金種に従って一時集積部１２へ搬送して集積し、集積された結束枚数未満の端数枚数を端数枚数カウントエリア５３で計数して端数枚数が結束枚数に達したときに、当該結束枚数の紙幣を紙幣結束部１５で小束に結束し、搬送路６の搬送動作の停止中に、扉開閉検知センサ１８が扉の開放を検知した後、集積紙幣検知センサ１３により存在が検知されていた紙幣の不存在を検知したときに、一時集積部１２に集積された端数枚数の紙幣の抜取りを検出し、そのときに端数枚数カウントエリア５３で計数した端数枚数を戻し枚数として記憶する。【選択図】図１０
2010231264.tif 000002
【特許請求の範囲】
【請求項１】
紙幣の投入を受入れる投入部と、
指定された指定金種の紙幣を集積する一時集積部と、
前記一時集積部に集積されている紙幣の存否を検知する集積紙幣検知センサと、
前記一時集積部に集積されている紙幣の抜取りを可能にする扉の開閉を検知する扉開閉検知センサと、
前記一時集積部に集積された結束枚数の紙幣を小束に結束する紙幣結束部と、
紙幣を搬送する搬送路と、を備えた紙幣整理装置において、
前記投入部で受入れた紙幣を、前記指定金種に従って前記一時集積部へ搬送して集積する手段と、
前記一時集積部に集積された前記結束枚数未満の端数枚数を計数する計数手段と、
前記計数手段で計数した端数枚数が前記結束枚数に達したときに、当該結束枚数の紙幣を前記紙幣結束部で小束に結束する紙幣計数結束処理を実行する手段と、
前記搬送路の搬送動作の停止中に、前記扉開閉検知センサが前記扉の開放を検知した後、前記集積紙幣検知センサにより存在が検知されていた紙幣の不存在を検知したときに、前記一時集積部に集積された端数紙幣の抜取りを検出する手段と、
前記抜取りを検出したときに、前記計数手段で計数した端数枚数を、戻し枚数として記憶する手段と、
前記戻し枚数を記憶した後、前記搬送路の搬送動作を開始したときに、前記一時集積部の端数枚数を、前記抜取りを検出した時の端数枚数に戻す紙幣戻し処理を実行する手段と、
前記紙幣戻し処理中に、前記計数手段で計数した端数枚数が、前記戻し枚数に達したときに、前記紙幣戻し処理の終了を報知する手段と、
前記紙幣戻し処理の終了の報知後に、前記紙幣計数結束処理の再開指示を受付ける手段と、を備えることを特徴とする紙幣整理装置。
【請求項２】
請求項１において、
前記搬送路の搬送動作の停止中に、処理中止の指示入力を受付けたときは、前記計数手段で計数した前記一時集積部の端数枚数を、転送戻し枚数として他の紙幣整理装置へ送信する手段と、
他の紙幣整理装置から受信した転送戻し枚数を記憶する手段と、
前記転送戻し枚数が記憶されている場合は、前記紙幣計数結束処理を開始する前に、前記転送戻し枚数を自機の戻し枚数として、前記紙幣戻し処理を実行する手段と、を備えることを特徴とする紙幣整理装置。
【請求項３】
請求項２に記載の紙幣整理装置を、複数接続したことを特徴とする紙幣処理システム。
【発明の詳細な説明】
【技術分野】
【０００１】
本発明は、計数した紙幣を複数の一時集積部に集積して、結束枚数毎に結束して整理する紙幣整理装置およびそれを複数接続した紙幣処理システムに関する。
【背景技術】
【０００２】
従来の紙幣整理装置は、紙幣を投入する投入部と、指定された金種の紙幣を集積する一時集積部と、一時集積部に集積された１００枚の紙幣を小束に結束する紙幣結束部と、紙幣を搬送する搬送路とを備え、１バッチ分の取引終了後に一時集積部に残留する端数紙幣の抜取りが発生した場合は、メモリに記憶されている前回の確定端数を減算枚数として記憶して確定端数を「０」にクリアし、投入部に前回分の抜取り紙幣と今回分の投入紙幣とを一緒にして載置すると、その紙幣を計数して一時集積部に集積された指定金種の紙幣が１００枚になったときに、これを紙幣結束部で小束に結束しながら計数処理を行い、処理の終了時に計数結果の総枚数から記憶した減算枚数を減じて今回の紙幣計数結果を算出している（例えば、特許文献１参照。）。
【先行技術文献】
【特許文献】
【０００３】
【特許文献１】特開平９−１５３１６８号公報（主に、段落０００６、００２５−００２８、第５図）
【発明の概要】
【発明が解決しようとする課題】
【０００４】
しかしながら、上述した従来の技術においては、１バッチ分の取引終了後に一時集積部に残留する端数紙幣の抜取りが発生した場合は、メモリに記憶されている前回の確定端数を減算枚数として記憶し、処理の終了時に計数結果の総枚数から記憶した減算枚数を減じて今回の紙幣計数結果を算出しているため、紙幣の処理中にジャム等の搬送障害が発生し、その復旧作業中に、一時集積部に残留する端数紙幣の抜取りが行われた場合には、手作業で抜取り紙幣の処理を行うことが必要になり、抜取った端数紙幣の数え直しや端数枚数の減算等を行うオペレータの負担が増大すると共に、これらの作業中に過誤が生ずると、端数紙幣は計数済みの紙幣であるので、実際に投入した紙幣と手作業で算出された紙幣計数結果とに差が生じ、紙幣計数結果の厳格性が損なわれるという問題がある。
【０００５】
また、端数紙幣の抜取りが発生した紙幣整理装置でしか抜取られた端数紙幣の再投入を行うことができないため、抜取りが発生した紙幣整理装置が機械的な故障等で動作不能になった場合は、前記した手作業、または他の紙幣整理装置で抜取り紙幣の処理を行うことが必要になり、他の紙幣整理装置で処理する場合には、抜取った端数紙幣の数え直しや、他の紙幣整理装置の端数枚数の処理、他の紙幣整理装置への抜取り枚数の入力等を行うオペレータの負担が増大すると共に、これらの作業中に過誤が生ずると、前記と同様に紙幣計数結果の厳格性が損なわれるという問題がある。
【０００６】
本発明は、上記の問題点を解決するためになされたもので、紙幣計数結果の厳格性を損なうことなく、オペレータの負担を軽減する手段を提供することを目的とする。
【課題を解決するための手段】
【０００７】
本発明は、上記課題を解決するために、紙幣の投入を受入れる投入部と指定された指定金種の紙幣を集積する一時集積部と、前記一時集積部に集積されている紙幣の存否を検知する集積紙幣検知センサと、前記一時集積部に集積されている紙幣の抜取りを可能にする扉の開閉を検知する扉開閉検知センサと、前記一時集積部に集積された結束枚数の紙幣を小束に結束する紙幣結束部と、紙幣を搬送する搬送路と、を備えた紙幣整理装置において、前記投入部で受入れた紙幣を、前記指定金種に従って前記一時集積部へ搬送して集積する手段と、前記一時集積部に集積された前記結束枚数未満の端数枚数を計数する計数手段と、前記計数手段で計数した端数枚数が前記結束枚数に達したときに、当該結束枚数の紙幣を前記紙幣結束部で小束に結束する紙幣計数結束処理を実行する手段と、前記搬送路の搬送動作の停止中に、前記扉開閉検知センサが前記扉の開放を検知した後、前記集積紙幣検知センサにより存在が検知されていた紙幣の不存在を検知したときに、前記一時集積部に集積された端数紙幣の抜取りを検出する手段と、前記抜取りを検出したときに、前記計数手段で計数した端数枚数を、戻し枚数として記憶する手段と、前記戻し枚数を記憶した後、前記搬送路の搬送動作を開始したときに、前記一時集積部の端数枚数を、前記抜取りを検出した時の端数枚数に戻す紙幣戻し処理を実行する手段と、前記紙幣戻し処理中に、前記計数手段で計数した端数枚数が、前記戻し枚数に達したときに、前記紙幣戻し処理の終了を報知する手段と、前記紙幣戻し処理の終了の報知後に、前記紙幣計数結束処理の再開指示を受付ける手段と、を備える。
【発明の効果】
【０００８】
これにより、本発明は、一時集積部からの抜取りが発生した場合においても、戻し枚数分の紙幣を計数して各一時集積部の端数紙幣を自動的に抜取り発生時の状態に戻すことができ、紙幣計数結果の厳格性を損なうことなく、オペレータの負担を軽減することができる。という効果が得られる。
【図面の簡単な説明】
【０００９】
【図１】実施例の紙幣処理システムを示すブロック図
【図２】実施例の紙幣整理装置の概略側面を示す説明図
【図３】実施例の紙幣整理装置の外観を示す斜視図
【図４】実施例の操作部を示す説明図
【図５】実施例の紙幣整理装置の上部筐体の側面を示す拡大図
【図６】実施例の集積機構の側面を示す説明図
【図７】実施例の一時集積部を示す斜視図
【図８】実施例の移送部を示す斜視図
【図９】実施例の紙幣結束部の側面を示す説明図
【図１０】実施例の紙幣整理装置を示すブロック図
【図１１】実施例の紙幣計数結束処理を示すフローチャート
【図１２】実施例の紙幣戻し処理を示すフローチャート
【図１３】実施例の紙幣戻し代行処理を示すフローチャート
【図１４】実施例の紙幣計数結束処理画面を示す説明図
【図１５】実施例の紙幣戻し処理画面を示す説明図
【発明を実施するための形態】
【００１０】
以下に、図面を参照して本発明による紙幣処理システムの実施例について説明する。
【実施例】
【００１１】
図１において、１はパーソナルコンピュータ等の上位装置としての操作端末であり、ＬＣＤ等の表示画面を有する図示しない表示部、キーボード等の入力手段を有する入力部等を備えており、オペレータが操作して紙幣計数結束処理等に関する指示入力等を行う。
【００１２】
２ａ、２ｂは紙幣整理装置であり、ＬＡＮ（Ｌｏｃａｌ  Ａｒｅａ  Ｎｅｔｗｏｒｋ）等のネットワーク３を介して操作端末１と接続しており、以下に示す構成を備えている。
【００１３】
なお、以下の説明においては、紙幣整理装置を区別する必要がない場合は紙幣整理装置２という。
【００１４】
図２、図３において、４は紙幣の投入部であり、紙幣整理装置２の正面の上部に設けられた、結束する多数の紙幣の投入を受入れる部位であって、投入部４に受入れた紙幣の在否を検知する光学式等の投入紙幣検知センサ４ａ（図１０参照）を備えている。
【００１５】
５は鑑別部であり、紙幣の真偽、金種、正損、表裏等の鑑別、および計数を行うと共に、搬送異常の検出を行う機能を有しており、装置内に設けられている。
【００１６】
６は紙幣を搬送する搬送路であり、図示しないモータ等の駆動源により駆動され、搬送される紙幣の通過を監視するための光学式等の通過検知センサ７（図１０参照）が複数配置されている。この搬送路６については後で説明する。
【００１７】
８は紙幣の表裏反転を行う表裏反転部であり、装置内の鑑別部５の後段に位置するように設けられている。
【００１８】
９は結束の対象とならない金種の紙幣を集積するオープンポケットであり、装置の上面に設けられており、オープンポケット９に集積された紙幣はオペレータが直接アクセスできるものとなっている。
【００１９】
１０は鑑別部５で金種不明若しくは搬送異常と鑑別された結束の対象とならないリジェクト紙幣を集積するリジェクトポケットであり、投入部４の上方に設けられており、リジェクトポケット１０に集積された紙幣にオペレータが直接アクセスできるものとなっている。
【００２０】
１１は投入部４の一の側に設けられた操作部であり、図４に示すように、紙幣の計数を指示する計数開始ボタン１１ａ、装置の障害復旧時に装置を再稼働させるためのリセットボタン１１ｂ、計数および紙幣戻し処理の完了を指示する完了ボタン１１ｃ、紙幣計数結束処理の中止を指示する処理中止ボタン１１ｄが設けられている。
【００２１】
１２は集積機構を構成する一時集積部であり、本実施例においては、縦１列に４つの一時集積部１２ａ〜１２ｄが並べて装置内に設けられており、各一時集積部１２ａ〜１２ｄには、それぞれ指定された金種（指定金種という。）の紙幣が、予め定められた結束枚数（本実施例では、１００枚）分集積できるようになっている。なお一時集積部は４つに限らず３つ以上であればよい。
【００２２】
また、各一時集積部１２ａ〜１２ｄには、集積された紙幣の在否を検知する光学式等の集積紙幣検知センサ１３（図１０参照）が設けられている。
【００２３】
１４は移送部、１５は紙幣結束部で、両者とも装置内に設けられており、これらについては後述する。
【００２４】
１６は放出口であり、紙幣結束部１５で結束された紙幣束を外部へ放出する際の放出口である。
【００２５】
１７は装置正面に設けられた扉であり、その開閉を検知する光学式または機械式の扉開閉検知センサ１８（図１０参照）が設けられており、この扉１７を開けることでオペレータは一時集積部１２にアクセスすることができ、一時集積部１２に集積されている紙幣の抜取りが可能になる。
【００２６】
１９は操作表示部であり、図３に示すように、装置上面においてオープンポケット９の後方に位置するように設けられ、ＬＣＤ等の表示画面と、その表面に配置した入力手段としてのタッチパネル等を備えており、鑑別部５で鑑別された紙幣の金種や正損および計数結果等の表示が行われる。
【００２７】
ここで、搬送路６について説明する。装置内の上部において搬送路６は、図５に示すように、搬送路６ａ〜６ｄからなり、搬送路６ａは、投入部４から鑑別部５を経て分岐点Ａに至るように設けられ、搬送路６ｂは、分岐点Ａからリジェクトポケット１０に至るように設けられ、搬送路６ｃは、分岐点Ａから表裏反転部８を経て分岐点Ｂに至るように設けられている。
【００２８】
搬送路６ｄは、分岐点Ｂから図２に示すように装置の下部筐体に伸びて集積機構の一時集積部１２ａ〜１２ｄに沿うように設けられ、搬送路６ｅは、分岐点Ｂからオープンポケット９に至るように設けられている。
【００２９】
なお、分岐点Ａ、Ｂのそれぞれの近傍には、紙幣の搬送方向を切替える図示しない切替ブレードが設けられ、後述する制御部５１により動作制御されるものとなっている。
【００３０】
このような搬送路６の搬送動作により一時集積部１２へ搬送された紙幣は、以下に説明する集積動作により一時集積部１２に集積される。
【００３１】
集積機構には、図６に示すように、前記した４つの一時集積部１２ａ〜１２ｄが上下方向に並べて配置されており、これらの一時集積部１２ａ〜１２ｄは同一の構造を有しているので、以下に一時集積部１２ａを例にして説明する。
【００３２】
搬送路６ｄにより搬送されてきた紙幣は、一時集積部１２ａの振分ゲート２１により集積板２２に向かって取込まれ、これにより一時集積部１２ａに侵入した紙幣は叩き車２３により後部が叩かれて集積板２２の上に集積されるものとなっている。
【００３３】
また、以降進入してくる紙幣に関しては、同様の集積動作で集積板２２上に集積した紙幣の上に集積される。
【００３４】
一時集積部１２ａに進入した紙幣は、叩き車２３により叩かれるだけでなく、図７に示す一時集積部１２ａの一の側に設けられた長手整位機構２４により長手方向の位置が揃えられ、更に一時集積部１２ａの前端側に設けられた短手整位機構２５により短手方向の位置が揃えられる。
【００３５】
長手整位機構２４は、正逆両方向への回転が可能なモータ２４ａと、このモータ２４ａに連結部材２４ｂを介して連結された棒若しくは板状等の整位部材２４ｃを備え、進入してくる紙幣を検知する図示しない進入センサの検知信号にタイミングをとってモータ２４ａにより整位部材２４ｃを回動させることにより、紙幣を反対側に設置された基準面２６に押し付けることで整位するものとなっている。
【００３６】
また、短手整位機構２５は、図示しないトーションスプリング等の付勢手段によって付勢された棒状部材により構成され、集積された紙幣を進入口側に付勢することにより整位するものとなっている。
【００３７】
集積板２２の上方には押え板２７が対向するように設けられ、この押え板２７は集積板２２上への紙幣の集積中は一時集積部１２ａの上端に待機しており、順次に集積される紙幣の進入の邪魔にならないようになっている。
【００３８】
一時集積部１２ａの集積板２２上に結束枚数（１００枚）の紙幣が集積されると、一時集積部１２ａの振分ゲート２１を、紙幣を取込まない姿勢に動作させ、１０１枚目以降の紙幣は一時集積部１２ｂ〜１２ｄのいずれかへ集積するように制御される。
【００３９】
なお、４金種の紙幣を一時集積部１２ｂ〜１２ｄのそれぞれの指定金種として指定した場合は、結束枚数の紙幣が集積されたときに一旦搬送路６の搬送動作を停止し、以下に説明する移送動作による当該一時集積部１２からの紙幣の引抜き後に、紙幣の搬送を再開するように制御される。
【００４０】
紙幣の進入が停止した一時集積部１２ａでは、集積板２２を上昇させ、押え板２７を下降させることにより紙幣を挟持する。
【００４１】
この動作により皺等の紙幣の状態によって集積高さの異なる紙幣の厚みを一定にし、移送部１４への受渡しを容易にするようになっている。
【００４２】
集積板２２と押え板２７により挟持された紙幣は、後述する移送部１４の紙幣クランプ部３１が短手整位機構２５側から一時集積部１２ａに進入して引抜かれるようになっている。
【００４３】
なお、一時集積部１２ｂ〜１２ｄも一時集積部１２ａと同様の構造になっているので、一時集積部１２ａと同様に紙幣を整位、集積、挟持することが可能である。
【００４４】
以下に、移送部１４による移送動作について説明する。
【００４５】
移送部１４は、図８に示すように、紙幣クランプ部３１、クランプ部移動手段３２、昇降手段３３等を備えている。
【００４６】
紙幣クランプ部３１は、上下方向に開閉するクランプ爪３５ａ、３５ｂを有し、この紙幣クランプ部３１はクランプ部移動手段３２上に搭載されていて、一時集積部１２ａ〜１２ｄからクランプ爪３５ａ、３５ｂで紙幣をクランプして引抜くときは、クランプ部移動手段３２が紙幣クランプ部３１を一時集積部１２ａ〜１２ｄに対して押出し、１００枚の紙幣をクランプできる位置まで移動させるようになっている。
【００４７】
紙幣クランプ部３１とクランプ部移動手段３２は、昇降手段３３により一時集積部１２ａから１２ｄの間を一体に上昇および下降し、紙幣１００枚の集積が完了した一時集積部１２ａ〜１２ｄのいずれか１つの前で停止するように制御されるものとなっている。
【００４８】
そのため、昇降手段３３のフレームには、一時集積部１２ａ〜１２ｄのそれぞれの位置に対応してポジションセンサ３６ａ〜３６ｄが配設されており、例えば、一時集積部１２ａに集積された紙幣を抜取るときは、ポジションセンサ３６ａの位置まで昇降手段３３によりクランプ部移動手段３２が引き上げられる。
【００４９】
引き上げられたクランプ部移動手段３２は、紙幣クランプ部３１が紙幣を一時集積部１２ａから引抜く間、この位置に固定する必要があるので、ポジションセンサ３６ａで停止した位置で回転可能なストッパカム３７がクランプ部移動手段３２に係止して落下を防止するようになっている。
【００５０】
この移送部１４の一連の動作を説明すると、例えば一時集積部１２ａに集積された紙幣を引抜く場合、まず昇降手段３３により紙幣クランプ部３１をクランプ部移動手段３２と共にポジションセンサ３６ａの位置まで上昇させ、ポジションセンサ３６ａがクランプ部移動手段３２を検知した位置で上昇を停止させると同時にストッパカム３７を回転させてクランプ部移動手段３２に係止させる。
【００５１】
これによってクランプ部移動手段３２を一時集積部１２ａと対応する位置に固定し、この状態でクランプ部移動手段３２により紙幣クランプ部３１のクランプ爪３５ａ、３５ｂを上下方向に開いて１００枚の紙幣をクランプする準備を行い、更にクランプ部移動手段３２により紙幣クランプ部３１を一時集積部１２ａの方向に押出す。
【００５２】
押出された紙幣クランプ機構３０のクランプ爪３５ａ、３５ｂは、一時集積部１２ａの短手整位機構２５側に設けられている開口部に挿入され、集積板２２と押え板２７により挟持されている紙幣を上下から挟みつけて把持する。
【００５３】
次に、集積板２２と押え板２７を開くことで、両者による紙幣の挟持を解除する。これにより１００枚の紙幣が紙幣クランプ部３１に引渡されたことになるので、クランプ爪３５ａ、３５ｂで紙幣を把持した紙幣クランプ部３１をクランプ部移動手段３２により引戻す。
【００５４】
このとき、クランプ爪３５ａ、３５ｂに把持された紙幣は一時集積部１２ａの短手整位機構２５に当たるが、そのまま紙幣クランプ部３１を引戻すと短手整位機構２５は紙幣の押圧力により付勢手段に抗して整位方向と逆の方向に倒れ、これにより紙幣は一時集積部１２ａからスムーズに引抜かれる。
【００５５】
そして、紙幣クランプ部３１が元の位置まで引戻されると、クランプ部移動手段３２に係止していたストッパカム３７が回転してその係止が解除され、紙幣を把持した紙幣クランプ部３１と共にクランプ移動手段３１が昇降手段３３により移動経路の最下端に位置する紙幣結束部１５まで移動し、紙幣クランプ部３１のクランプ爪３５ａ、３５ｂに把持された紙幣が紙幣結束部１５に引渡され、以下に説明する結束動作により小束に結束される。
【００５６】
紙幣結束部１５は、図９に示すように、ローラおよびベルト等からなる搬送手段４１と、紙テープ等の結束用のテープ４２と、テープ４２に印字を行う印字手段４３と、テープ４２を供給するテープ供給手段４４と、テープ４２を所定の長さに切断するカッタ４５と、図示しない結束手段等を備えており、以下のようにして紙幣を結束する。
【００５７】
すなわち、一時集積部１２ａ等から束のまま引抜かれた紙幣が、移送部１４により紙幣結束部１５に送られると、搬送手段４１が移送部１４の紙幣クランプ部３１から１００枚の紙幣を一括して受取り結束位置に搬送する。
【００５８】
紙幣束が結束位置に搬送されると、テープ供給手段４４はテープ４２を図示しない結束手段に供給し、その際に印字手段４３はテープ４２に結束する紙幣の金種等をインクリボンを介して印字し、印字されたテープ４２は所定の長さにカッタ４５で切断され、この切断されたテープ４２を結束手段により結束位置に搬送された１００枚の紙幣に巻き付けて結束することにより紙幣束を作成する。
【００５９】
こうして作成された紙幣束は、搬送手段４１により搬送され、放出口１６に送られて装置外へ放出される。
【００６０】
図１０において、５１は制御部であり、紙幣整理装置２の各部の動作を制御して各種の現金処理を実行する機能を有している。
【００６１】
５２は記憶部であり、制御部５１が実行するプログラムやそれに用いる各種のデータおよび制御部５１による処理結果等が格納される。
【００６２】
この記憶部５２には、いずれかの一時集積部１２に集積された紙幣の端数枚数が、結束枚数になったときに、その結束枚数の紙幣を紙幣結束部１５で小束に結束する紙幣計数結束処理（詳細は図１１を用いて後述する。）や、搬送路６の搬送動作の停止中に、端数紙幣の抜取りを検出した場合に、搬送路６の搬送動作の開始時に、一時集積部１２の端数枚数を、抜取りを検出した時の端数枚数に戻す紙幣戻し処理（詳細は図１２を用いて後述する。）、処理動作不能となった他の紙幣整理装置２の紙幣戻し処理を代行する紙幣戻し代行処理等を実行する機能を有する現金処理実行プログラムが予め格納されており、制御部５１が実行する現金処理実行プログラムのステップにより本実施例の紙幣整理装置２の各機能手段が形成される。
【００６３】
また、記憶部５２には、各一時集積部１２に集積された紙幣の端数枚数を一時集積部１２別に計数するための端数枚数カウントエリア５３、計数した紙幣の枚数を金種別に計数するための計数紙幣カウントエリア５４、紙幣結束部１５で結束した紙幣束の結束数を金種別に計数するための結束数カウントエリア５５、１回のバッチ処理で投入された紙幣の紙幣計数結束処理の終了後に、一時集積部１２に残留した端数枚数を確定端数として一時集積部１２別に記憶するための確定端数記憶エリア５６、端数紙幣の抜取りを検出したときに、抜取られた金種別の端数枚数を戻し枚数として金種別に記憶する戻し枚数記憶エリア５７が、予め確保されている。
【００６４】
更に、記憶部５２には、紙幣結束部１５で小束に結束するときの所定の結束枚数（本実施例では１００枚）が、予め設定されて格納されている。
【００６５】
以下に、図１１にＳで、図１２にＳＡで、図１３にＳＢで示すステップに従って、本実施例の紙幣計数結束処理（図１１）、紙幣戻し処理（図１２）、紙幣戻し代行処理（図１３）について説明する。
【００６６】
なお、以下に説明する紙幣整理装置２ａ、２ｂは、同じ構成の紙幣整理装置である。
【００６７】
Ｓ１、紙幣整理装置２ａに電源が投入されると、紙幣整理装置２ａの制御部５１（制御部５１ａという。）は現金処理実行プログラムにより、紙幣整理装置２ａを準備状態（制御部５１ａや記憶部５２、各センサ等の制御系統、および投入部４や搬送路６、移送部１４、紙幣結束部１５等の機械系統に電源を供給している状態をいう。）にし、確定端数記憶エリア５６の一時集積部１２別の確定端数を、該当する一時集積部１２の端数枚数として記憶し、各一時集積部１２の端数枚数を初期化する。
【００６８】
Ｓ２、記憶部５２の記憶内容の初期化を終えた制御部５１ａは、処理動作不能となった他の紙幣整理装置２（他機という。本説明では紙幣整理装置２ｂ）から転送される、処理不能となった戻し枚数を転送戻し枚数として記録した戻し枚数通知（ステップＳ２０参照）の着信を待って待機し、他機からの戻し枚数通知を受信したときにステップＳ３へ移行する。戻し枚数通知を受信しない場合はステップＳ４へ移行する。
【００６９】
Ｓ３、戻し枚数通知を受信した制御部５１ａは、受信した戻し枚数通知に記録されている転送戻し枚数を、記憶部５２に記憶してステップＳ４へ移行する。
【００７０】
Ｓ４、オペレータは、多数の紙幣を計数して小束に結束する場合には、操作端末１の入力部によって、各一時集積部１２に集積する金種を入力し、操作端末１は一時集積部１２別の指定金種を添付した指定金種指示をネットワーク３を介して紙幣整理装置２ａへ送信する。
【００７１】
なお、各一時集積部１２に前回分の確定端数の紙幣が残留している場合（ステップＳ１３、１４参照）は、操作端末１は、前回の一時集積部１２別の確定端数を表示部に表示し、オペレータはこれに従って、各一時集積部１２に集積する金種を指定する。
【００７２】
操作端末１からの指定金種指示の着信を待って待機している制御部５１ａは、操作端末１からの指定金種指示を受信したときに、その指定金種指示を受付けて添付された一時集積部１２別の指定金種を記憶部５２に記憶し、ステップＳ５へ移行する。指定金種指示を受信しない場合は、ステップＳ２、Ｓ４による待機を継続する。
【００７３】
以下の説明においては、オペレータが４金種の結束モードを選択し、一時集積部１２ａには一千円紙幣（千券という。）の正券、一時集積部１２ｂには二千円紙幣（二千券という。）の正券、一時集積部１２ｃには五千円紙幣（五千券という。）の正券、一時集積部１２ｄには一万円紙幣（万券という。）の正券を指定した場合を例に説明する。
【００７４】
Ｓ５、一時集積部１２別の指定金種の指示入力を受付けた制御部５１ａは、記憶部５２に金種別の転送戻し枚数が記憶されているか否か確認し、転送戻し枚数が記憶されている場合は、紙幣戻し代行処理の実行を判定し、接続子Ｂを介して図１３のステップＳＢ１へ移行する。転送戻し枚数が記憶されていない場合はステップＳ６へ移行する。
【００７５】
Ｓ６、オペレータは、４金種を混在させた多数の紙幣を投入部４に載置した後に、操作部１１の計数開始ボタン１１ａを押下して１バッチ分の紙幣を投入する。
【００７６】
一時集積部１２別の指定金種の記憶後に、操作部１１の計数開始ボタン１１ａの押下を待って待機していた制御部５１ａは、計数開始ボタン１１ａが押下されたときにその入力を計数開始指示として受付け、投入部４の投入紙幣検知センサ４ａにより紙幣の存在を確認してステップＳ７へ移行する。
【００７７】
Ｓ７、投入部４の紙幣の存在を認識し、その紙幣を受入れた制御部５１ａは、操作表示部１９の表示画面に図１４に示す紙幣計数結束処理画面を表示して紙幣計数結束処理を開始する。
【００７８】
紙幣計数結束処理画面には、今回計数した紙幣の枚数を金種別に表示する計数枚数表示欄６１、前回の確定端数を金種別に表示する確定端数表示欄６２、今回の紙幣計数結束処理における端数枚数を金種別に表示する端数枚数表示欄６３、今回の紙幣計数結束処理における結束数を金種別に表示する結束数表示欄６４が表示される。
【００７９】
この場合に、計数枚数表示欄６１には記憶部５２の計数紙幣カウントエリア５４で計数した金種別の枚数が、確定端数表示欄６２には確定端数記憶エリア５６に記憶された前回の一時集積部１２別の確定端数（ステップＳ１３参照）を指定金種に対応させた金種別の確定端数が、端数枚数表示欄６３には端数枚数カウントエリア５３で計数した各一時集積部１２の端数枚数を指定金種に対応させた金種別の枚数が、結束数表示欄６４には結束数カウントエリア５５で計数した金種別の結束数がそれぞれ表示される。
【００８０】
なお、端数枚数表示欄６３の端数枚数は、上記した移送部１４の移送動作により一時集積部１２から結束枚数の紙幣が引抜かれたときに、当該一時集積部１２の指定金種の端数枚数が「０」に書替えられる。
【００８１】
Ｓ８、紙幣計数結束処理画面を表示した制御部５１ａは、投入部４から紙幣を１枚ずつ繰出して搬送路６ａにより鑑別部５に搬送し、鑑別部５により紙幣の真偽、金種、表裏、正損等の鑑別、および搬送異常の有無の検出を行い、その鑑別結果を認識する。
【００８２】
鑑別結果を認識した制御部５１ａは、鑑別された紙幣が、記憶部５２に記憶した指定金種の正券の場合は、鑑別された紙幣の金種を基に、記憶部５２の計数紙幣カウントエリア５４の該当する金種の計数枚数に「１」を加えて、金種別の計数枚数を計数する。
【００８３】
Ｓ９、制御部５１ａは、鑑別された紙幣が、汚れや破れ等により金種不明と鑑別された紙幣、および重送等の搬送異常と鑑別されたリジェクト紙幣の場合は、搬送路６ｂに設置された通過検知センサ７により追跡しながらリジェクトポケット１０へ搬送して集積し、結束の対象とならない指定金種の正券以外の紙幣（本実施例では、各金種の損券）の場合は、搬送路６ｃおよび６ｅに設置された通過検知センサ７により追跡しながらオープンポケット９へ搬送して集積する。
【００８４】
鑑別された紙幣が、指定金種の正券の場合は、記憶部５２に記憶した一時集積部１２別の指定金種を参照して搬送先の一時集積部１２、例えば鑑別された金種が千券の正券の場合は一時集積部１２ａを特定し、当該紙幣を搬送路６ｂ〜６ｄに設置された通過検知センサ７により追跡しながら、一時集積部１２ａの入口の図示しない進入センサが当該紙幣の侵入を検知するまで一時集積部１２ａに向けて搬送する。
【００８５】
Ｓ１０、上記各部への紙幣の搬送中に、制御部５１ａは通過検知センサ７により一の通過検知センサ７が紙幣の通過を検知した後に、その１つ下流に配置された通過検知センサ７が所定の時間を経過しても紙幣の通過を検知しないことにより、ジャム等の後続する紙幣の搬送を妨げる搬送障害の発生を判定し、搬送障害が発生した場合はステップＳ１５へ移行する。正常に紙幣の通過を追跡できた場合、つまり搬送障害が発生しなかった場合はステップＳ１１へ移行する。
【００８６】
Ｓ１１、搬送障害が発生しなかったことを認識した制御部５１ａは、当該紙幣を上記した集積動作によって一時集積部１２ａに集積する。
【００８７】
一時集積部１２ａに紙幣を集積した制御部５１ａは、記憶部５２の端数枚数カウントエリア５３の一時集積部１２ａの端数枚数に「１」を加えて、一時集積部１２ａに集積された紙幣の端数枚数を計数する。他の金種の紙幣の場合も同様である。
【００８８】
なお、前記の集積動作の途中で、一時集積部１２の端数枚数が記憶部５２に格納されている結束枚数に達した場合は、上記した移送部１４による紙幣の移送動作、紙幣結束部１５による結束動作を行い、紙幣束を作成して放出口１６から放出する度に、記憶部５２の結束数カウントエリア５５の当該金種の結束数に「１」を加えて、当該金種の結束数を計数する。
【００８９】
Ｓ１２、当該一時集積部１２に紙幣を集積した制御部５１ａは、投入部４の投入紙幣検知センサ４ａが紙幣の存在を検知しなくなった後に、鑑別部５で鑑別した最後の紙幣を該当する一時集積部１２に集積した場合は、紙幣計数結束処理の終了を判定してステップＳ１３へ移行する。集積した紙幣が最後の紙幣でない場合は、紙幣計数結束処理中と判定してステップＳ８へ戻り、上記した紙幣の鑑別、集積等を継続する。
【００９０】
Ｓ１３、紙幣計数結束処理の終了を判定した制御部５１ａは、投入部４の繰出動作および搬送路６の搬送動作等を停止させて紙幣の計数を停止し、記憶部５２の端数枚数カウントエリア５３で計数された各一時集積部１２の端数枚数を、確定端数として確定端数記憶エリア５６の一時集積部１２別の確定端数に上書きして記憶し（一時集積部１２の紙幣を結束した直後の端数枚数が「０」の場合を含む。）、各一時集積部１２に集積されている確定端数の紙幣をそのまま残留させた状態でステップＳ１４へ移行する。
【００９１】
Ｓ１４、制御部５１ａは、記憶部５２の計数紙幣カウントエリア５４、結束数カウントエリア５５、戻し枚数記憶エリア５７の金種別の記憶枚数、確定端数記憶エリア５６の一時集積部１２別の確定端数を読出し、これらを添付した計数終了通知を、ネットワーク３を介して操作端末１へ送信し、送信後に記憶部５２の戻し枚数記憶エリア５７の金種別の各記憶枚数を「０」に書替え、記憶されている場合は転送戻し枚数を「０」に書替えてステップＳ１５へ移行する。
【００９２】
紙幣整理装置２ａからの計数終了通知を受信した操作端末１は、計数終了通知に添付されている今回の金種別の計数枚数（計数紙幣カウントエリア５４の金種別の記憶枚数）から、今回の処理における金種別の戻し枚数（戻し枚数記憶エリア５７の金種別の記憶枚数）を減じて今回の紙幣計数結果を算出し、これを基に今回のバッチにおける紙幣計数結束処理の終了処理を行い、その後に計数終了指示をネットワーク３を介して紙幣整理装置２ａへ送信する。
【００９３】
Ｓ１５、計数終了通知の送信後に、操作端末１からの計数終了指示の着信を待って待機していた制御部５１ａは、計数終了指示を受信したときに、その計数終了指示を受付けてステップＳ１へ戻り、記憶部５２の記憶内容の初期化した後に、ステップＳ２、Ｓ４による待機を継続する。
【００９４】
上記のようにして、紙幣整理装置２ａの正常搬送の場合の１バッチ分の紙幣計数結束処理が行われる。
【００９５】
この紙幣計数結束処理の過程で、搬送障害が発生した場合の作動について、以下に説明する。
【００９６】
Ｓ１６、上記ステップＳ１０において、搬送障害の発生を判定した制御部５１ａは、投入部４の繰出動作および搬送路６の搬送動作等を停止させて紙幣の計数を停止し、記憶部５２の端数枚数カウントエリア５３に記憶されている各一時集積部１２の端数枚数を、確定端数として確定端数記憶エリア５６の一時集積部１２別の確定端数に上書きして記憶し、各一時集積部１２に集積されている端数紙幣をそのまま残留させた状態で、図示しないブザー等を作動させてオペレータに警報を報知し、以下に説明する搬送路６等の動作停止中の監視処理を行う。
【００９７】
Ｓ１７、搬送路６等の動作停止中に制御部５１ａは、扉１７に設けられた扉開閉検知センサ１８の出力を監視し、扉開閉検知センサ１８からの扉１７の開放を検知した出力信号を認識した後は、各一時集積部１２に設けられた集積紙幣検知センサ１３の出力を監視し、紙幣の存在を検知していた集積紙幣検知センサ１３が紙幣を検知しなくなったこと、つまり紙幣の不存在を検知したときに、オペレータによる当該一時集積部１２からの端数枚数の紙幣（端数紙幣という。）の抜取りを検出してステップＳ１８へ移行する。
【００９８】
扉開閉検知センサ１８が扉１７の閉鎖を検知している場合、または扉１７の開放の検知後に集積紙幣検知センサ１３の出力に変化がないまま扉１７の閉鎖を検知した場合はステップＳ１９へ移行する。
【００９９】
Ｓ１８、端数紙幣の抜取りを検出した制御部５１ａは、記憶部５２に記憶した一時集積部１２別の指定金種を参照して、抜取りが行われた一時集積部１２の指定金種を特定し、その抜取り枚数に相当する、端数枚数カウントエリア５３の当該一時集積部１２の端数枚数を、戻し枚数記憶エリア５７に現在記憶されている戻し枚数（現段階では「０」）に加え、これを当該金種の戻し枚数として戻し枚数記憶エリア５７に記憶すると共に、端数枚数カウントエリア５３の当該一時集積部１２の端数枚数を「０」に、確定端数記憶エリア５６の当該一時集積部１２の確定端数を「０」に書替えてステップＳ１９へ移行する。
【０１００】
Ｓ１９、搬送路６等の動作停止中に制御部５１ａは、操作部１１に設けられた処理中止ボタン１１ｄの出力を監視し、操作部１１から処理中止ボタン１１ｄの押下信号が出力されたときに処理動作不能による紙幣計数結束処理の中止指示を受付けてステップＳ２０へ移行する。操作部１１から処理中止ボタン１１ｄの押下信号が出力されない場合はステップＳ２１へ移行する。
【０１０１】
なお、処理中止ボタン１１ｄは、オペレータが紙幣整理装置２ａの復旧作業の結果、搬送路６の破損や、一時集積部１２、移送部１４、紙幣結束部１５の動作不具合等の機械的な故障を発見し、紙幣整理装置２ａの処理動作不能を判断した場合に押下され、オペレータは各一時集積部１２に集積されている処理不能となった端数紙幣を全て抜取る。
【０１０２】
Ｓ２０、紙幣計数結束処理の中止指示を受付けた制御部５１ａは、各一時集積部１２に設けられた集積紙幣検知センサ１３の出力を確認し、集積紙幣検知センサ１３が紙幣の存在を検知している場合は、集積紙幣検知センサ１３が紙幣の不存在を検知したときに、その抜取り枚数に相当する、端数枚数カウントエリア５３の当該一時集積部１２の端数枚数を、指定金種に対応させて戻し枚数記憶エリア５７に現在記憶されている戻し枚数に加え、これを当該金種の戻し枚数として戻し枚数記憶エリア５７に記憶する。
【０１０３】
この確認のときに、集積紙幣検知センサ１３の出力が既に不存在である場合、つまり上記ステップＳ１７で既に抜取られている場合や未集積の場合、移送部１４の移送動作による一時集積部１２からの紙幣の引抜き直後の場合は、戻し枚数記憶エリア５７に現在記憶されている戻し枚数を、当該金種の戻し枚数として戻し枚数記憶エリア５７に記憶する。このため、戻し枚数として「０」が存在する場合がある。
【０１０４】
そして、制御部５１ａは、記憶部５２の戻し枚数記憶エリア５７に記憶されている処理不能となった金種別の戻し枚数を全て読出し、これを金種別の転送戻し枚数として記録した戻し枚数通知をネットワーク３を介して準備状態の他の紙幣整理装置２、例えば紙幣整理装置２ｂへ送信し、紙幣整理装置２ａの紙幣計数結束処理を終了させる。
【０１０５】
紙幣整理装置２ｂの制御部５１ｂは、上記ステップＳ２で、他の紙幣整理装置２である紙幣整理装置２ａからの戻し枚数通知を受信し、ステップＳ３において受信した戻し枚数通知の転送戻し枚数を記憶部５２に記憶する。
【０１０６】
Ｓ２１、搬送路６等の動作停止中に、制御部５１ａは、操作部１１に設けられたリセットボタン１１ｂの出力を監視し、操作部１１からリセットボタン１１ｂの押下信号が出力されたときに、紙幣整理装置２ａの復旧を判定してステップＳ２２へ移行する。
【０１０７】
操作部１１からリセットボタン１１ｂの押下信号が出力されない場合は、ステップＳ１７へ戻って、ステップＳ１７、Ｓ１９、Ｓ２１による搬送路６等の動作停止中の監視処理を継続する。
【０１０８】
Ｓ２２、紙幣整理装置２ａの復旧を判定した制御部５１ａは、記憶部５２の戻し枚数記憶エリア５７に金種別の戻し枚数が記憶されているか否か確認し、戻し枚数が記憶されている場合は、紙幣戻し処理の実行を判定して接続子Ａを介して図１２のステップＳＡ１へ移行する。戻し枚数が記憶されていない場合は、紙幣計数結束処理の再開を判定して接続子Ｃを介してステップＳ７へ移行する。
【０１０９】
このようにして、紙幣計数結束処理の過程で搬送障害が発生した場合の紙幣の抜取り等の監視処理が実行される。
【０１１０】
この紙幣の抜取りが行われた場合の紙幣戻し処理の作動について、以下に説明する。
【０１１１】
ＳＡ１、上記図１１のステップＳ２２において、紙幣戻し処理の実行を判定し、接続子Ａを介して移行した制御部５１ａは、記憶部５２の戻し枚数記憶エリア５７の金種別の戻し枚数を読出すと共に、記憶部５２の一時集積部１２別の指定金種を参照して該当する一時集積部１２を特定し、その戻し枚数を確定端数記憶エリア５６の一時集積部１２別の確定端数に加えて書替え、紙幣戻し処理における金種別の戻し枚数を設定してステップＳＡ２へ移行する。
【０１１２】
この場合に、確定端数記憶エリア５６の紙幣抜取りが行われた一時集積部１２の確定端数は、上記ステップＳ１６において、搬送路６等の動作を停止させて紙幣の計数を停止したときの一時集積部１２の端数枚数に一旦書替えられ、その後にステップＳ１８において「０」に書替えられており、戻し枚数記憶エリア５７の紙幣抜取りが行われなかった金種の戻し枚数は「０」になっている（ステップＳ１４参照）ので、確定端数記憶エリア５６の書替えられた一時集積部１２別の確定端数は、全て抜取り発生時の状態に戻ることになり、この確定端数に達するまで紙幣を集積すれば、紙幣抜取りが行われた金種の一時集積部１２の端数枚数が、搬送障害の発生により搬送路６等の動作を停止させて紙幣の計数を停止したときの一時集積部１２の状態に戻り、抜取りが行われなかったものとして取扱うことが可能になる。
【０１１３】
なお、端数枚数カウントエリア５３の紙幣抜取りが行われなかった金種の一時集積部１２の端数枚数は、搬送路６等の動作を停止させて紙幣の計数を停止したときの一時集積部１２の端数枚数のままになっている。
【０１１４】
ＳＡ２、金種別の戻し枚数を設定した制御部５１ａは、操作表示部１９の表示画面に図１５に示す紙幣戻し処理画面を表示して紙幣戻し処理の実行を開始する。
【０１１５】
紙幣戻し処理画面には、紙幣戻し処理における操作手順を表示した操作手順表示欄６５、紙幣戻し処理の開始時における確定端数を金種別に表示する確定端数表示欄６６、紙幣戻し処理中の端数枚数を金種別に表示する端数枚数表示欄６７、紙幣戻し処理の処理結果を表示する戻し結果表示欄６８が表示される。
【０１１６】
この場合に、確定端数表示欄６６には確定端数記憶エリア５６に一時集積部１２別に記憶された戻し枚数の設定数を指定金種に対応させた金種別の確定端数が、端数枚数表示欄６７には端数枚数カウントエリア５３で計数した各一時集積部１２の端数枚数を指定金種に対応させた金種別の枚数がそれぞれ表示され、抜取りが行われた金種、つまり確定端数表示欄６６の確定端数が、端数枚数表示欄６７の端数枚数より多い場合は戻し結果表示欄６８に「未確定」と表示され、抜取りが行われなかった金種、つまり確定端数表示欄６６の確定端数と端数枚数表示欄６７の端数枚数とが一致する場合は戻し結果表示欄６８に「確定済」と表示される。
【０１１７】
表示内容を確認したオペレータは、抜取り紙幣を未計数紙幣に加えて投入部４に載置した後に、操作部１１のリセットボタン１１ｂを押下して抜取り紙幣の再投入を行う。
【０１１８】
この場合に投入する紙幣は、抜取り紙幣を下側にし、これに未計数の紙幣を積み重ねて載置することが望ましい。
【０１１９】
後述する一時集積部１２の「確定済」（ステップＳＡ９参照）が処理開始後に成立し、紙幣計数結束処理画面（図１４）を表示した紙幣計数結束処理に移行することが早期に可能になるからである。
【０１２０】
ＳＡ３、紙幣戻し処理画面の表示後に操作部１１のリセットボタン１１ｂの押下を待って待機していた制御部５１ａは、リセットボタン１１ｂが押下されたときにその入力を紙幣戻し処理の計数開始指示として受付け、投入部４の投入紙幣検知センサ４ａにより紙幣の存在を確認し、上記ステップＳ８と同様にして、投入部４で受入れた紙幣を１枚ずつ繰出して鑑別部５で鑑別し、鑑別された紙幣が、指定金種の正券の場合は、その金種を基に、計数紙幣カウントエリア５４の該当する金種の計数枚数に「１」を加えて、金種別の計数枚数を計数する。
【０１２１】
ＳＡ４、制御部５１ａは、上記ステップＳ９と同様にして、鑑別部５による鑑別結果に応じて、鑑別された紙幣を搬送路６に設置された通過検知センサ７により追跡しながらリジェクトポケット１０、オープンポケット９へ搬送して集積し、鑑別された紙幣が、指定金種の正券の場合は、当該紙幣を搬送路６ｂ〜６ｄに設置された通過検知センサ７により追跡しながら指定金種により特定した一時集積部１２ａへ搬送する。
【０１２２】
ＳＡ５、上記各部への紙幣の搬送中に、制御部５１ａは、上記ステップＳ１０と同様にして、搬送障害の発生を判定し、搬送障害が発生した場合は接続子Ｄを介して、図１１のステップＳ１６へ移行する。搬送障害が発生しなかった場合はステップＳＡ６へ移行する。
【０１２３】
この紙幣戻し処理の過程で搬送障害が発生してステップＳ１６へ移行し、ステップＳ１７で紙幣の抜取りを検出した場合は、ステップＳ１８において戻し枚数が前回記憶分を加えて書替えられ、ステップＳ２２を介して再び紙幣戻し処理を開始したときは、上記ステップＳＡ１において、書替えられた戻し枚数が当該金種の戻し枚数として設定される。
【０１２４】
ＳＡ６、搬送障害が発生しなかったことを認識した制御部５１ａは、上記ステップＳ１１と同様にして、特定した一時集積部１２に紙幣を集積し、記憶部５２の端数枚数カウントエリア５３の当該一時集積部１２の端数枚数に「１」を加えて、一時集積部１２ａに集積された紙幣の端数枚数を計数する。
【０１２５】
なお、紙幣戻し処理における集積動作の途中で、「確定済」となっている一時集積部１２の端数枚数が記憶部５２に格納されている結束枚数に達した場合は、上記した移送部１４による紙幣の移送動作、紙幣結束部１５による結束動作を行い、紙幣束を作成して放出する度に、記憶部５２の結束数カウントエリア５５の当該金種の結束数に「１」を加えて、当該金種の結束数を計数する。
【０１２６】
ＳＡ７、当該一時集積部１２に紙幣を集積した制御部５１ａは、端数枚数カウントエリア５３の集積した端数枚数と、確定端数記憶エリア５６の当該一時集積部１２の確定端数（設定された戻し枚数）とを比較し、端数枚数が確定端数以上の場合は当該一時集積部１２の端数枚数が戻し枚数に達したと判定してステップＳＡ９へ移行する。端数枚数が確定端数未満の場合はステップＳＡ８へ移行する。
【０１２７】
ＳＡ８、端数枚数が確定端数未満と判定した制御部５１ａは、紙幣戻し処理画面の当該一時集積部１２の指定金種に該当する金種の戻し結果表示欄６８に「未確定」を表示してステップＳＡ３へ戻り、紙幣戻し処理を継続する。
【０１２８】
ＳＡ９、当該一時集積部１２の端数枚数が戻し枚数に達したと判定した制御部５１ａは、紙幣戻し処理画面の当該一時集積部１２の指定金種に該当する金種の戻し結果表示欄６８に「確定済」を表示してステップＳＡ１０へ移行する。
【０１２９】
この場合に、既に「確定済」となっている金種の紙幣が集積されたときは、確定端数を超える端数枚数が端数枚数表示欄６７に表示される。
【０１３０】
ＳＡ１０、戻し結果表示欄６８に「確定済」を表示した制御部５１ａは、戻し結果表示欄６８の表示内容を確認し、全ての金種の戻し結果表示欄６８の表示内容が「確定済」となっている場合は、紙幣戻し処理の終了を判定してステップＳＡ１１へ移行する。「未確定」が存在する場合はステップＳＡ３へ戻り、紙幣戻し処理を継続する。
【０１３１】
ＳＡ１１、紙幣戻し処理の終了を判定した制御部５１ａは、投入部４の繰出動作および搬送路６の搬送動作等を停止させて紙幣の計数を停止し、各一時集積部１２に集積されている端数紙幣をそのまま残留させた状態で、図示しないブザー等を作動させてオペレータに紙幣戻し処理の終了を報知する。
【０１３２】
オペレータは、紙幣戻し処理画面の表示内容を確認し、操作部１１の完了ボタン１１ｃを押下する。
【０１３３】
ＳＡ１２、搬送路６等の動作停止後に、操作部１１の完了ボタン１１ｃの押下を待って待機していた制御部５１ａは、完了ボタン１１ｃが押下されたときにその入力を計数再開指示として受付け、記憶部５２の端数枚数カウントエリア５３に記憶されている一時集積部１２別の端数枚数、確定端数記憶エリア５６の一時集積部１２別の確定端数、各一時集積部１２に集積されている端数紙幣をそのままにして、接続子Ｃを介して図１１のステップ７へ移行し、紙幣計数結束処理を再開させる。
【０１３４】
このようにして、自機で発生した抜取り紙幣の紙幣戻し処理が実行される。
【０１３５】
以下に、他機で処理不能になった抜取り紙幣の紙幣戻し代行処理の作動について説明する。
【０１３６】
以下の説明においては、紙幣整理装置２ａを自機とし、紙幣整理装置２ｂを他機として、他機である紙幣整理装置２ｂによる紙幣計数結束処理の過程で搬送障害が発生し、制御部５１ｂが上記ステップＳ２０において、準備状態の自機である紙幣整理装置２ａへ戻し枚数通知を送信した場合を例に説明する。
【０１３７】
ＳＢ１、上記図１１のステップＳ５において、紙幣戻し代行処理の実行を判定し、接続子Ｂを介して移行した制御部５１ａは、上記ステップＳ３において記憶部５２に記憶した他機から転送された金種別の転送戻し枚数を読出すと共に、記憶部５２の一時集積部１２別の指定金種を参照して該当する一時集積部１２を特定し、その転送戻し枚数を記憶部５２の確定端数記憶エリア５６の一時集積部１２別の確定端数に加えて書替え、紙幣戻し代行処理における金種別の戻し枚数を設定してステップＳＢ２へ移行する。
【０１３８】
この場合に、確定端数記憶エリア５６の一時集積部１２別の元の確定端数は、上記ステップＳ１３において、前回の紙幣計数結束処理後の確定端数に書替えられており、転送戻し枚数には、他機で各一時集積部１２から抜取った端数枚数（「０」を含む。）が記録されている（ステップＳ２０参照）ので、確定端数記憶エリア５６の書替えられた一時集積部１２別の確定端数は、自機の前回の確定端数に、他機の抜取り枚数を加えた枚数になり、他機における抜取り紙幣の枚数を自機の戻し枚数として取扱うことが可能になる。
【０１３９】
なお、端数枚数カウントエリア５３の各一時集積部１２の端数枚数は、上記ステップＳ１において、前回処理時の確定端数に初期化されている。
【０１４０】
ＳＢ２、金種別の戻し枚数を設定した制御部５１ａは、操作表示部１９の表示画面に、上記紙幣戻し処理と同じ図１５に示す紙幣戻し処理画面を表示して紙幣戻し代行処理の実行を開始する。
【０１４１】
この場合に、確定端数表示欄６６には確定端数記憶エリア５６に一時集積部１２別に記憶された戻し枚数の設定数を指定金種に対応させた金種別の確定端数が、端数枚数表示欄６７には端数枚数カウントエリア５３で計数した各一時集積部１２の端数枚数を指定金種に対応させた金種別の枚数がそれぞれ表示され、他機で抜取りが行われた金種、つまり確定端数表示欄６６の確定端数が、端数枚数表示欄６７の端数枚数より多い場合は戻し結果表示欄６８に「未確定」と表示され、他機で抜取りが行われなかった金種、つまり確定端数表示欄６６の確定端数と端数枚数表示欄６７の端数枚数とが一致する場合は戻し結果表示欄６８に「確定済」と表示される。
【０１４２】
表示内容を確認したオペレータは、他機からの抜取り紙幣を自機の１バッチ分の投入紙幣に加えて投入部４に載置した後に、操作部１１の計数開始ボタン１１ａを押下して他機の抜取り紙幣の再投入を行う。
【０１４３】
この場合に投入する紙幣は、他機の抜取り紙幣を下側にし、これに自機の１バッチ分の投入紙幣を積み重ねて載置することが望ましい。
【０１４４】
後述する一時集積部１２の「確定済」（ステップＳＢ９参照）が処理開始後に成立し、紙幣計数結束処理画面（図１４）を表示した自機の紙幣計数結束処理に移行することが早期に可能になるからである。
【０１４５】
ＳＢ３、紙幣戻し処理画面の表示後に操作部１１の計数開始ボタン１１ａの押下を待って待機していた制御部５１ａは、計数開始ボタン１１ａが押下されたときにその入力を紙幣戻し代行処理の計数開始指示として受付け、投入部４の投入紙幣検知センサ４ａにより紙幣の存在を確認し、上記ステップＳ８と同様にして、投入部４で受入れた紙幣を１枚ずつ繰出して鑑別部５で鑑別し、鑑別された紙幣が、指定金種の正券の場合は、その金種を基に、計数紙幣カウントエリア５４の該当する金種の計数枚数に「１」を加えて、金種別の計数枚数を計数する。
【０１４６】
その後のステップＳＢ４〜ＳＢ１２の作動は、上記紙幣戻し処理のステップＳＡ４〜ＳＡ１２の作動と同様であるので、その説明を省略する。
【０１４７】
この場合に、ステップＳＢ５において、紙幣戻し代行処理の過程で搬送障害が発生してステップＳ１６へ移行し、ステップＳ１７で紙幣の抜取りを検出した場合は、ステップＳ１８において戻し枚数が前回記憶分を加えて書替えられ、ステップＳ２２を介して図１２の紙幣戻し処理に移行し、上記ステップＳＡ１において、書替えられた戻し枚数が、当該金種の戻し枚数として設定され、紙幣戻し代行処理が、紙幣戻し処理の各ステップによって実行される。
【０１４８】
このようにして、他機で処理不能となった抜取り紙幣の、自機による紙幣戻し代行処理が実行される。
【０１４９】
上記のように、本実施例の紙幣戻し処理においては、紙幣計数結束処理中に搬送障害が発生した場合に、紙幣整理装置が紙幣の抜取りを検出して、その抜取り枚数を戻し枚数として記憶し、紙幣計数結束処理の再開前に、抜取り紙幣の再投入を受入れ、紙幣が抜取られた一時集積部１２に戻し枚数分の紙幣を集積して、その端数枚数を抜取り発生時の状態に戻すので、紙幣計数結束処理中に一時集積部からの抜取りが発生した場合においても、戻し枚数分の紙幣を計数して各一時集積部１２の端数紙幣を自動的に抜取り発生時の状態に戻すことができ、紙幣計数結果の厳格性を損なうことなく、オペレータの負担を軽減することができる。
【０１５０】
また、本実施例の紙幣戻し代行処理においては、紙幣計数結束処理中に処理動作不能による処理中止が発生した場合に、他機で処理不能となった紙幣の抜取り枚数を転送戻し枚数として記録した戻し枚数通知を受信して、これを転送戻し枚数として記憶し、自機における紙幣計数結束処理の開始前に、他機の抜取り紙幣の再投入を受入れ、転送戻し枚数を自機の戻し枚数として紙幣が抜取られた一時集積部１２に戻し枚数分の紙幣を集積し、その端数枚数を他機における抜取り発生時の状態に戻すので、他機の一時集積部１２からの抜取りが発生した場合においても、その紙幣戻し処理を自機で代行し、戻し枚数分の紙幣を計数して各一時集積部１２の端数紙幣を自動的に他機の抜取り発生時の状態に戻すことができ、紙幣計数結果の厳格性を損なうことなく、オペレータの負担を軽減することができる。
【０１５１】
なお、本実施例では、搬送障害の発生時に紙幣の抜取りが発生した場合を例に説明したが、搬送路６等の動作停止中の紙幣抜取りの監視処理を並行処理として、紙幣計数結束処理の開始前や、紙幣の紙幣計数結束処理の終了後の搬送路６等の動作停止中等に、前記の監視処理を実行して紙幣抜取りを検出するようにしてもよい。
【０１５２】
また、本実施例では、４金種の結束モードを例に説明したが、結束モードは前記に限らず、１金種、例えば万券のみを小束に結束する結束モードや、２金種、例えば万券と千券とを小束に結束する結束モード等であってもよい。
【０１５３】
以上説明したように、本実施例では、紙幣整理装置が、投入部で受入れた紙幣を、指定金種に従って一時集積部へ搬送して集積し、集積された結束枚数未満の端数枚数を端数枚数カウントエリアで計数して端数枚数が結束枚数に達したときに、当該結束枚数の紙幣を紙幣結束部で小束に結束し、搬送路の搬送動作の停止中に、扉開閉検知センサが扉の開放を検知した後、集積紙幣検知センサにより存在が検知されていた紙幣の不存在を検知したときに、一時集積部に集積された端数紙幣の抜取りを検出し、そのときに端数枚数カウントエリアで計数した端数枚数を、戻し枚数として記憶し、その後に搬送路の搬送動作を開始したときは、一時集積部の端数枚数を、抜取りを検出した時の端数枚数に戻す紙幣戻し処理を実行し、端数枚数カウントエリアで計数した端数枚数が、戻し枚数に達したときに、紙幣戻し処理の終了を報知し、報知後に、紙幣計数結束処理の再開指示を受付けて紙幣計数結束処理を再開するようにしたことによって、紙幣計数結束処理中に一時集積部からの抜取りが発生した場合においても、戻し枚数分の紙幣を計数して各一時集積部の端数紙幣を自動的に抜取り発生時の状態に戻すことができ、紙幣計数結果の厳格性を損なうことなく、オペレータの負担を軽減することができる。
【符号の説明】
【０１５４】
１    操作端末
２、２ａ、２ｂ  紙幣整理装置
３    ネットワーク
４    投入部
４ａ    投入紙幣検知センサ
５    鑑別部
６、６ａ〜６ｅ  搬送路
７    通過検知センサ
８    表裏反転部
９    オープンポケット
１０  リジェクトポケット
１１  操作部
１１ａ  計数開始ボタン
１１ｂ  リセットボタン
１１ｃ  完了ボタン
１１ｄ  処理中止ボタン
１２、１２ａ〜１２ｄ  一時集積部
１３  集積紙幣検知センサ
１４  移送部
１５  紙幣結束部
１６  放出口
１７  扉
１８  扉開閉検知センサ
１９  操作表示部
２１  振分ゲート
２２  集積板
２３  叩き車
２４  長手整位機構
２４ａ  モータ
２４ｂ  連結部材
２４ｃ  整位部材
２５  短手整位機構
２６  基準面
２７  押え板
３１  紙幣クランプ部
３２  クランプ部移動手段
３３  昇降手段
３５ａ、３５ｂ  クランプ爪
３６ａ〜３６ｄ  ポジションセンサ
３７  ストッパカム
４１  搬送手段
４２  テープ
４３  印字手段
４４  テープ供給手段
４５  カッタ
５１  制御部
５２  記憶部
５３  端数枚数カウントエリア
５４  計数紙幣カウントエリア
５５  結束数カウントエリア
５６  確定端数記憶エリア
５７  戻し枚数記憶エリア
６１  計数枚数表示欄
６２、６６  確定端数表示欄
６３、６７  端数枚数表示欄
６４  結束数表示欄
６５  操作手順表示欄
６８  戻し結果表示欄
【図１】
2010231264.tif 000003
【図２】
2010231264.tif 000004
【図３】
2010231264.tif 000005
【図４】
2010231264.tif 000006
【図５】
2010231264.tif 000007
【図６】
2010231264.tif 000008
【図７】
2010231264.tif 000009
【図８】
2010231264.tif 000010
【図９】
2010231264.tif 000011
【図１０】
2010231264.tif 000012
【図１１】
2010231264.tif 000013
【図１２】
2010231264.tif 000014
【図１３】
2010231264.tif 000015
【図１４】
2010231264.tif 000016
【図１５】
2010231264.tif 000017